【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
カラー撮像素子から得られた映像信号に対して色変換処理を行う画像処理装置であって、
上記カラー撮像素子から得られた信号が属する色空間に関して、無彩色領域を適応的に規定する領域規定手段と、
上記カラー撮像素子から得られた信号が、上記領域規定手段により規定された無彩色領域に属しているか否かを判定する判定手段と、
上記判定手段の判定結果に応じて、上記信号に対して適応的に色変換処理を行う色変換手段と、
上記信号のノイズ量を推定するノイズ量推定手段と、を具備し、
上記領域規定手段は、上記ノイズ量推定手段から得られたノイズ量に基づき、上記無彩色領域を適応的に規定する無彩色領域規定手段を有して構成されたものであることを特徴とする画像処理装置。
【請求項２】
上記カラー撮像素子から得られた信号を所定の色空間の信号に変換する色空間変換手段をさらに具備し、
上記領域規定手段は、上記色空間変換手段により変換された信号が属する色空間に関して、無彩色領域を適応的に規定するものであり、
上記判定手段は、上記色空間変換手段により変換された信号が、上記領域規定手段により規定された無彩色領域に属しているか否かを判定するものであり、
上記色変換手段は、上記判定手段の判定結果に応じて、上記色空間変換手段により変換された信号に対して適応的に色変換処理を行うものであることを特徴とする請求項１に記載の画像処理装置。
【請求項３】
上記色空間変換手段は、ＹＣｂＣｒ色空間と、ＣＩＥ−Ｌａｂ色空間と、ＣＩＥ−Ｌｕｖ色空間と、の内の何れか１つを、上記所定の色空間とするものであることを特徴とする請求項２に記載の画像処理装置。
【請求項４】
上記ノイズ量推定手段は、上記信号が上記カラー撮像素子から得られたときに設定されていたＩＳＯ感度とホワイトバランス係数との少なくとも一方に基づき、上記信号のノイズ量を推定するものであることを特徴とする請求項１に記載の画像処理装置。
【請求項５】
上記領域規定手段は、上記無彩色領域を、上記信号が属する色空間において彩度が０となる無彩色軸を中心とする領域として規定するものであることを特徴とする請求項１に記載の画像処理装置。
【請求項６】
上記領域規定手段は、線形な関数に基づき領域規定定数を算出する線形関数手段を有して構成され、該領域規定定数に基づき、上記無彩色軸を中心とする無彩色領域を規定するものであることを特徴とする請求項５に記載の画像処理装置。
【請求項７】
上記領域規定手段は、非線形な関数に基づき領域規定定数を算出する非線形関数手段を有して構成され、該領域規定定数に基づき、上記無彩色軸を中心とする無彩色領域を規定するものであることを特徴とする請求項５に記載の画像処理装置。
【請求項８】
上記領域規定手段は、上記信号が属する色空間を複数の色相領域に分割する色相分割手段をさらに有して構成され、
上記無彩色領域規定手段は、上記色相分割手段により分割された複数の色相領域のそれぞれに対して、上記ノイズ量推定手段から得られたノイズ量に基づき、上記無彩色領域を適応的に規定するものであることを特徴とする請求項１に記載の画像処理装置。
【請求項９】
上記判定手段は、
上記信号の色相情報に基づき、該信号が上記色相分割手段により分割された複数の色相領域の内の何れに属するかを判定する色相領域判定手段と、
上記無彩色領域規定手段により上記複数の色相領域のそれぞれに対して規定された無彩色領域の内の、上記色相領域判定手段により上記信号が属すると判定された色相領域に対する無彩色領域に、該信号が属しているか否かを判別する比較判別手段と、
を有して構成されたものであることを特徴とする請求項８に記載の画像処理装置。
【請求項１０】
上記色変換手段は、上記色変換処理を線形変換により行う線形変換手段を有して構成されたものであることを特徴とする請求項１に記載の画像処理装置。
【請求項１１】
上記色変換手段は、
第１の色変換処理を行う第１の色変換部と、
上記第１の色変換処理とは異なる第２の色変換処理を行う第２の色変換部と、
を有して構成され、上記判定手段により無彩色領域に属していないと判定された信号に対しては上記第１の色変換部により第１の色変換処理を行い、該判定手段により無彩色領域に属していると判定された信号に対しては上記第２の色変換部により第２の色変換処理を行うことによって、上記適応的な色変換処理を行うものであることを特徴とする請求項１に記載の画像処理装置。
【請求項１２】
上記第１の色変換部は、上記第１の色変換処理として、上記信号を変化させない処理を行うものであることを特徴とする請求項１１に記載の画像処理装置。
【請求項１３】
上記第１の色変換部は、上記第１の色変換処理として、上記信号を、該信号が属する色空間における彩度が０となる無彩色軸上に射影する処理を行うものであることを特徴とする請求項１１に記載の画像処理装置。
【請求項１４】
上記色変換手段は、上記第１の色変換部による処理結果と上記第２の色変換部による処理結果とに不連続性が生じることがないように、上記第１の色変換処理と上記第２の色変換処理とを重み付け加算することにより補正された第２の色変換処理を、上記第２の色変換部による第２の色変換処理として行うようにするものであることを特徴とする請求項１１に記載の画像処理装置。
【請求項１５】
上記色変換手段は、上記信号と任意の基準点との間の距離に応じた重み係数を用いることにより、上記重み付け加算を行うものであることを特徴とする請求項１４に記載の画像処理装置。
【請求項１６】
上記色変換手段は、
上記信号と色変換処理後の信号との関係を記録する色変換テーブルと、
上記信号に基づき上記色変換テーブルを参照することにより色変換処理後の信号を取得するテーブル演算手段と、
を有して構成されたものであることを特徴とする請求項１に記載の画像処理装置。
【請求項１７】
コンピュータに、カラー撮像素子から得られた映像信号に対して色変換処理を行わせるための画像処理プログラムであって、コンピュータに、
上記カラー撮像素子から得られた信号が属する色空間に関して、無彩色領域を適応的に規定する領域規定ステップと、
上記カラー撮像素子から得られた信号が、上記領域規定ステップにより規定された無彩色領域に属しているか否かを判定する判定ステップと、
上記判定ステップの判定結果に応じて、上記信号に対して適応的に色変換処理を行う色変換ステップと、
を行わせるための画像処理プログラム。
【請求項１８】
コンピュータに、上記カラー撮像素子から得られた信号を所定の色空間の信号に変換する色空間変換ステップをさらに行わせるための画像処理プログラムであって、
上記領域規定ステップは、上記色空間変換ステップにより変換された信号が属する色空間に関して、無彩色領域を適応的に規定するステップであり、
上記判定ステップは、上記色空間変換ステップにより変換された信号が、上記領域規定ステップにより規定された無彩色領域に属しているか否かを判定するステップであり、
上記色変換ステップは、上記判定ステップの判定結果に応じて、上記色空間変換ステップにより変換された信号に対して適応的に色変換処理を行うステップであることを特徴とする請求項１７に記載の画像処理プログラム。
【請求項１９】
カラー撮像素子から得られた映像信号に対して色変換処理を行う画像処理方法であって、
上記カラー撮像素子から得られた信号が属する色空間に関して、無彩色領域を適応的に規定する領域規定ステップと、
上記カラー撮像素子から得られた信号が、上記領域規定ステップにより規定された無彩色領域に属しているか否かを判定する判定ステップと、
上記判定ステップの判定結果に応じて、上記信号に対して適応的に色変換処理を行う色変換ステップと、
を有することを特徴とする画像処理方法。
【請求項２０】
上記カラー撮像素子から得られた信号を所定の色空間の信号に変換する色空間変換ステップをさらに有し、
上記領域規定ステップは、上記色空間変換ステップにより変換された信号が属する色空間に関して、無彩色領域を適応的に規定するステップであり、
上記判定ステップは、上記色空間変換ステップにより変換された信号が、上記領域規定ステップにより規定された無彩色領域に属しているか否かを判定するステップであり、
上記色変換ステップは、上記判定ステップの判定結果に応じて、上記色空間変換ステップにより変換された信号に対して適応的に色変換処理を行うステップであることを特徴とする請求項１９に記載の画像処理方法。
【手続補正２】
【補正対象書類名】明細書
【補正対象項目名】００１８
【補正方法】変更
【補正の内容】
【００１８】
上記の目的を達成するために、本発明による画像処理装置は、カラー撮像素子から得られた映像信号に対して色変換処理を行う画像処理装置であって、上記カラー撮像素子から得られた信号が属する色空間に関して、無彩色領域を適応的に規定する領域規定手段と、上記カラー撮像素子から得られた信号が、上記領域規定手段により規定された無彩色領域に属しているか否かを判定する判定手段と、上記判定手段の判定結果に応じて、上記信号に対して適応的に色変換処理を行う色変換手段と、上記信号のノイズ量を推定するノイズ量推定手段と、を具備し、上記領域規定手段は、上記ノイズ量推定手段から得られたノイズ量に基づき、上記無彩色領域を適応的に規定する無彩色領域規定手段を有して構成されたものである。